(57)【要約】      （修正有）【課題】寝ている毛玉を取ることができる毛玉取り器のアタッチメントを提供する。【解決手段】回転する内刃と、毛玉を導入する複数の毛玉導入孔３１Ａが形成され前記内刃が裏面に摺動する外刃３１とを有する毛玉取り器１０に装着されるアタッチメント１００であって、アタッチメント１００には、外刃３１の外周に沿って環状に配される複数の毛束１０２Ａを備えられ、この毛束１０２Ａが、その剛性により生地に絡みついた状態で寝ている毛玉を立ち起す機能を果たす。【選択図】図１
2019060035.tif 000002
【特許請求の範囲】
【請求項１】
回転する内刃と、毛玉を導入する複数の毛玉導入孔が形成され前記内刃が裏面に摺動する外刃とを有する毛玉取り器に装着されるアタッチメントであって、
前記外刃の周囲に配され、毛玉を立ち起す毛玉立ち起し部材を備える毛玉取り器のアタッチメント。
【請求項２】
請求項１に記載の毛玉取り器のアタッチメントであって、
前記毛玉立ち起し部材は、前記外刃の外周に沿って配された複数の毛束を備える毛玉取り器のアタッチメント。
【請求項３】
請求項２に記載の毛玉取り器のアタッチメントであって、
前記複数の毛束は、前記外刃の外周に沿って環状に配されている毛玉取り器のアタッチメント。
【請求項４】
請求項２又は３に記載の毛玉取り器のアタッチメントであって、
前記毛束は、獣毛で構成されている毛玉取り器のアタッチメント。
【請求項５】
請求項４に記載の毛玉取り器のアタッチメントであって、
前記獣毛は、豚毛である毛玉取り器のアタッチメント。
【請求項６】
請求項１〜５の何れか１項に記載の毛玉取り器のアタッチメントが着脱される毛玉取り器。
【発明の詳細な説明】
【技術分野】
【０００１】
本発明は、毛玉取り器のアタッチメント、及び毛玉取り器に関する。
【背景技術】
【０００２】
毛玉取り器のアタッチメントとして、外刃の中心部付近に対応する部分を含むほぼ全面に複数の開孔が形成されているものが知られている（例えば、特許文献１参照）。
【先行技術文献】
【特許文献】
【０００３】
【特許文献１】特開平８−３２５９２８号公報
【発明の概要】
【発明が解決しようとする課題】
【０００４】
カーペット等では、毛玉が布面に絡みつくように寝ているところ、特許文献１に記載のアタッチメントを用いる場合には、布面に絡みつくように寝ている毛玉を外刃の毛玉導入孔を通して内刃に導入することが難しい。
【０００５】
本発明が解決しようとする課題は、寝ている毛玉を取ることができる毛玉取り器のアタッチメントを提供することである。
【課題を解決するための手段】
【０００６】
本発明の具体的態様における毛玉取り器のアタッチメントは、回転する内刃と、毛玉を導入する複数の毛玉導入孔が形成され前記内刃が裏面に摺動する外刃とを有する毛玉取り器に装着されるアタッチメントであって、前記外刃の周囲に配され、毛玉を立ち起す毛玉立ち起し部材を備える。
【発明の効果】
【０００７】
本発明によれば、寝ている毛玉を取ることができる毛玉取り器のアタッチメントを提供できる。
【図面の簡単な説明】
【０００８】
【図１】図１は、本発明の一実施形態に係るアタッチメント、及び毛玉取り器を示す斜視図である。
【図２】図２は、本発明の一実施形態に係るアタッチメント、及び毛玉取り器を示す分解斜視図である。
【図３】図３は、アタッチメントが装着されていない状態の毛玉取り器がカーペットの毛玉を取っている状態を示す図である。
【図４】図４は、アタッチメントが装着された状態の毛玉取り器がカーペットの毛玉を取っている状態を示す図である。
【発明を実施するための形態】
【０００９】
以下、図面を参照して本発明の一実施形態に係る毛玉取り器のアタッチメント、及び毛玉取り器について説明する。なお、特許請求の範囲に係る発明を以下の実施形態に限定するものではない。また、実施形態で説明する構成の全てが課題を解決するための手段として必須であるとは限らない。
【００１０】
図１は、本発明の一実施形態に係るアタッチメント１００、及び毛玉取り器１０を示す斜視図である。この図に示すように、毛玉取り器１０は、ハウジング２０と、外刃ユニット３０と、ダストボックス５０と、電源部６０とを備える。図２は、アタッチメント１００、及び毛玉取り器１０を示す分解斜視図である。この図に示すように、毛玉取り器１０は、さらに、内刃ユニット４０を備える。
【００１１】
ハウジング２０は、ヘッド部２１と、把持部２２とを備える。ヘッド部２１は、円筒状に構成されている。このヘッド部２１の軸方向一端側に開口２１Ａが設けられており、この開口２１Ａに外刃ユニット３０が装着されている。
【００１２】
ヘッド部２１は、円環状の周壁部２１Ｂと、ヘッド部２１の軸方向他端側に位置する円盤状の底部２１Ｃとを備える。周壁部２１Ｂの内壁には、ネジ溝２１Ｄが形成されている。このネジ溝２１Ｄに後述の外刃ユニット３０のネジ溝３２Ａが螺合することにより、外刃ユニット３０がヘッド部２１に固定される。
【００１３】
ヘッド部２１の周壁部２１Ｂ及び底部２１Ｃと外刃ユニット３０とは、これらにより囲まれた空間２１Ｅを画成している。この空間２１Ｅには、内刃ユニット４０が配されている。
【００１４】
ヘッド部２１の底部２１Ｃの中心には、円孔２１Ｆが形成されている。この円孔２１Ｆには、ヘッド部２１に収納されたモータ（図示省略）の出力軸１２Ａが挿通されている。即ち、ヘッド部２１に収納されたモータの出力軸１２Ａが、円孔２１Ｆを通して底部２１Ｃから空間２１Ｅに突出している。この出力軸１２Ａには、内刃ユニット４０が装着されている。
【００１５】
把持部２２は、ヘッド部２１の底部からヘッド部２１の軸方向に対して直交する方向に延びている。この把持部２２には、制御基板（図示省略）と電源部６０とが収納され、ダストボックス５０が着脱可能に装着されている。モータは、出力軸１２Ａとヘッド部２１の軸心とが同軸となるように配されている。なお、モータの出力軸１２Ａを上向きにした場合における把持部２２の上側の面、下側の面をそれぞれ把持部２２の前面、把持部２２の背面と称する。
【００１６】
把持部２２の前面には、ダストボックス５０が着脱可能に装着される装着部２２Ａと、ダストボックス５０の内部と空間２１Ｅとを連通する連通部２２Ｂとが設けられている。装着部２２Ａは平坦に形成されている。ダストボックス５０は、半円筒型に構成されている。このダストボックス５０の軸方向一端には開口５１が設けられ、ダストボックス５０の軸方向他端には底部５２が設けられている。この底部５２には、多数の排気孔５２Ａが形成されている。
【００１７】
ダストボックス５０には、半円形状の壁部５３と平坦な壁部５４とが設けられている。この平坦な壁部５４と装着部２２Ａとには、それぞれ相互に係合する係合部５４Ａ、２２Ｃが設けられている。ダストボックス５０の壁部５４と装着部２２Ａとが当接された状態で、ダストボックス５０が連通部２２Ｂに接近する方向にスライドされると、係合部５４Ａと係合部２２Ｃとが相互に係合する。一方、ダストボックス５０の壁部５４と装着部２２Ａとが当接された状態で、ダストボックス５０が連通部２２Ｂから離間する方向にスライドされると、係合部５４Ａと係合部２２Ｃとの係合が解除される。
【００１８】
ヘッド部２１の周壁部２１Ｂには、連通部２２Ｂに面して開口２１Ｇが形成されている。連通部２２Ｂには、ダストボックス５０の開口５１と対向する開口が形成されている。装着部２２Ａに装着されたダストボックス５０の開口５１の縁部と、連結部２２Ｂの開口縁部とが相互に当接する。ダストボックス５０が装着部２２Ａに装着された状態では、連通部２２Ｂが、ダストボックス５０内と空間２１Ｅとを連通する。
【００１９】
外刃ユニット３０は、外刃３１と、キャップ部３２とを備える。外刃３１の形状は、球面の一部を円状に切り取った形状（換言すると、椀状）である。この外刃３１には、その外周部分と頂点部分とを除いた全域に、多数の毛玉導入孔３１Ａが規則的に形成されている。毛玉導入孔３１Ａの配置等については後述する。
【００２０】
キャップ部３２は、円環状に構成されている。このキャップ部３２の内周には、外刃３１が固定されている。キャップ部３２に固定された外刃３１は、キャップ部３２の開口縁部から膨出している。キャップ部３２の外周面には上述のネジ溝３２Ａが形成されている。このネジ溝３２Ａとヘッド部２１のネジ溝２１Ｄとが螺合することにより、キャップ部３２がヘッド部２１に固定されている。
【００２１】
内刃ユニット４０は、ホイール４１と、複数（本実施形態では３個）の内刃４２とを備える。ホイール４１は、円盤４１Ａと、回転軸４１Ｂと、複数（内刃４２と同数であり本実施形態では３個）のファン片４１Ｃとを備える。円盤４１Ａには、複数（内刃４２と同数であり本実施形態では３個）の切欠き４１Ｄが、円盤４１Ａの中心の回りに等間隔で形成されている。回転軸４１Ｂは、円盤４１Ａの背面（下面）の中心から突出している。この回転軸４１Ｂは、モータの出力軸１２Ａと係合する。このため、モータが駆動されると内刃ユニット４０が回転する。
【００２２】
複数のファン片４１Ｃは、円盤４１Ａの中心の周りに等間隔で配されている。それぞれのファン片４１Ｃは、それぞれの切欠き４１Ｄの縁部からヘッド部２１の底部２１Ｃに向かって突出している。ファン片４１Ｃは、円盤４１Ａの径方向に対して平行に配されている。このため、内刃ユニット４０が回転すると、複数のファン片４１Ｃにより空間２１Ｅからダクトボックス５０内への空気の流れが起きる。
【００２３】
複数の内刃４２は、円盤４１Ａの前面（上面）に円盤４１Ａの中心の周りに等間隔で配されている。それぞれの内刃４２は、それぞれの切欠き４１Ｄの縁部から外刃３１に向って突出している。内刃４２は、円盤４１Ａの径方向に対して平行に配されている。また、内刃４２の刃先は、外刃３１の背面（下面）に当接している。このため、内刃ユニット４０が回転すると、複数の内刃４２が外刃３１の背面に摺動する。
【００２４】
アタッチメント１００は、キャップ部１０１と、ブラシ群１０２とを備える。キャップ部１０１は、円環状に構成されている。キャップ部１０１の内周面には、複数の係合部１０１Ａが周方向に所定間隔で形成されている。この係合部１０１Ａは、爪であり、外刃ユニット３０のキャップ部３２に対して着脱可能に係合する。
【００２５】
キャップ部１０１には、キー溝１０１Ｂが形成されている。それに対して、ヘッド部２０１の周壁部２１Ｂには、キー溝１０１Ｂに対応して位置決めキー２１Ｈが形成されている。これにより、位置決めキー２１Ｈがキー溝１０１Ｂに嵌合することで、キャップ部１０１とキャップ部３２との周方向の相対位置が決められる。なお、位置決めキーをアタッチメント１００側に設け、キー溝を毛玉取り器１０側に設けてもよい。また、位置決め機構の構成は、適宜変更してもよい。
【００２６】
ブラシ群１０２は、多数の毛束１０２Ａを備える。多数の毛束１０２Ａは、キャップ部１０１の前面（上面）に所定間隔で配されている。毛束１０２Ａの間隔は、略円形状の毛束１０２Ａの直径と同等であり、本実施形態では、毛束１０２Ａの直径の１．０〜１．５倍に設定されている。
【００２７】
毛束１０２Ａは、多数の毛が結束されて構成されている。この毛束１０２Ａの軸方向一端側が、キャップ部１０１の前面に形成された孔に挿入され結束されている。一方、毛束１０２Ａの軸方向他端側は開放されている。
【００２８】
毛束１０２Ａは、多数の獣毛（Ｈａｉｒ）で構成されている。この毛束１０２Ａを構成する獣毛は、羊毛（Ｗｏｏｌ）に比して剛性が高い。毛束１０２Ａを構成する獣毛としては、豚毛、猪毛等を例示できる。本実施形態では、毛束１０２Ａを構成する獣毛として豚毛を採用している。
【００２９】
多数の毛束１０２Ａは、キャップ部１０１の前面（上面）から生地に向って突出している。これらの毛束１０２Ａの先端は、外刃３１の頂点よりも生地に近い側に位置する。これにより、これらの毛束１０２Ａの先端は、外刃３１が生地に接触していない状態でも生地に接触することができる。
【００３０】
ここで、カーペットや絨毯等では、毛玉が生地に絡みついた状態で寝ている場合がある。それに対して、本実施形態のアタッチメント１００が備える毛束１０２Ａの剛性は、外刃３１を生地に接触させることができる程度に撓むことができると共に、カーペットや絨毯等で生地に絡みついた状態で寝ている毛玉を立ち起すことができる程度に設定されている。
【００３１】
図３は、アタッチメント１００が装着されていない状態の毛玉取り器１０がカーペットＣの毛玉Ｂを取っている状態を示す図である。一方、図４は、アタッチメント１００が装着された状態の毛玉取り器１０がカーペットＣの毛玉Ｂを取っている状態を示す図である。これらの図に示すように、アタッチメント１００が装着されていない状態の毛玉取り器１０がカーペットＣの毛玉Ｂを取る場合には、カーペットＣの生地に絡みついた毛玉Ｂが毛玉導入孔３１Ａを通して空間２１Ｅに入り難い。そのため、この場合には、相対的に、毛玉Ｂが内刃４２により刈り取られ難い。それに対して、アタッチメント１００が装着された状態の毛玉取り器１０がカーペットＣの毛玉Ｂを取る場合には、カーペット等の生地Ｃに絡みついた毛玉Ｂが毛束１０２Ａにより立ち起されるので、相対的に、毛玉導入孔３１Ａを通して空間２１Ｅに入り易い。そのため、この場合には、相対的に、毛玉Ｂが内刃４２により刈り取られ易い。
【００３２】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。例えば、上述の実施形態では、毛玉立ち起し部材として多数の毛束１０２Ａを備えるブラシ群１０２を例示したが、毛玉立ち起し部材としては、外刃３１を生地に接触させることができる程度に撓むことができると共に、カーペットや絨毯等で生地に絡みついた状態で寝ている毛玉を立ち起すことができるという機能を有するものであればよい。
【符号の説明】
【００３３】
１０  毛玉取り器、１２Ａ  出力軸、２０  ハウジング、２１  ヘッド部、２１Ａ  開口、２１Ｂ  周壁部、２１Ｃ  底部、２１Ｄ  ネジ溝、２１Ｅ  空間、２１Ｆ  円孔、２１Ｇ  開口、２１Ｈ  位置決めキー、２２  把持部、２２Ａ  装着部、２２Ｂ  連通部、２２Ｃ  係合部、３０  外刃ユニット、３１  外刃、３１Ａ  毛玉導入孔、３２  キャップ部、３２Ａ  ネジ溝、４０  内刃ユニット、４１  ホイール、４１Ａ  円盤、４１Ｂ  回転軸、４１Ｃ  ファン片、４１Ｄ  切欠き、４２  内刃、５０  ダストボックス、５１  開口、５２  底部、５２Ａ  排気孔、５３  壁部、５４  壁部、５４Ａ  係合部、６０  電源部、１００  アタッチメント、１０１  キャップ部、１０１Ａ  係合部、１０１Ｂ、キー溝、１０２  ブラシ群、１０２Ａ  毛束
【図１】
2019060035.tif 000003
【図２】
2019060035.tif 000004
【図３】
2019060035.tif 000005
【図４】
2019060035.tif 000006